(57)【要約】【課題】表紙の小口側の端が本文用用紙の小口側の端より出る製本を行なうことが可能な用紙処理装置を提供すること。【解決手段】本文用用紙Ｐ１を整合して収容するスタック部２と、本文用用紙Ｐ１や表紙用用紙Ｐ２を挟みこんでスタック部２に向けて搬送可能に構成すると共に、スタック部２に収容した本文用用紙Ｐ１を表紙用用紙Ｐ２で覆うように、表紙用用紙Ｐ２の搬送を所定の位置で停止可能に構成した用紙搬送部１と、用紙搬送部１によって表紙用用紙Ｐ２が所定の位置で停止した状態で、本文用用紙Ｐ１と表紙用用紙Ｐ２とをステープルで綴じるステープル処理部３と、表紙用用紙Ｐ２の、中折り位置から折り込んで表紙を形成する用紙折り部４とを備えて用紙処理装置Ａを構成する。【選択図】図５
2014105042.tif 000002
【特許請求の範囲】
【請求項１】
表紙の小口側の端が本文用用紙の小口側の端より出るように、前記本文用用紙の大きさより大きい表紙用用紙を用いて製本する用紙処理装置であって、
前記本文用用紙を整合して収容するスタック部と、
前記本文用用紙や前記表紙用用紙を挟みこんで前記スタック部に向けて搬送可能に構成すると共に、前記スタック部に収容した前記本文用用紙を前記表紙用用紙で覆うように、前記表紙用用紙の搬送を所定の位置で停止可能に構成した用紙搬送部と、
前記用紙搬送部によって前記表紙用用紙が所定の位置で停止した状態で、前記本文用用紙と前記表紙用用紙とをステープルで綴じるステープル処理部と、
前記表紙用用紙の、中折り位置から折り込んで表紙を形成する用紙折り部と
を備えていることを特徴とする用紙処理装置。
【請求項２】
前記スタック部は、
前記本文用用紙や前記表紙用用紙を支持する支持板と、
前記支持板に排出された前記本文用用紙の、前記搬送ローラによる用紙の搬送方向と逆方向の端が突き当てられる後端フェンスと、
前記本文用用紙の端が前記後端フェンスに突き当たるように正転すると共に、前記表紙用用紙が所定の位置で停止した後に前記表紙用用紙が張るように逆転する叩きコロと
を備えたことを特徴とする請求項１に記載の用紙処理装置。
【請求項３】
前記叩きコロは、ステープル処理部によって前記本文用用紙と前記表紙用用紙とをステープルで綴じる際に前記本文用用紙と前記表紙用用紙とを押さえ、ステープルで綴じた後は用紙押さえを解除可能に構成されていること
を特徴とする請求項２に記載の用紙処理装置。
【請求項４】
前記スタック部は、
前記ステープルで綴じられた前記本文用用紙と前記表紙用用紙とを放出する放出部を備え、
前記用紙搬送部は、前記放出部による放出動作と同期して、所定の位置で停止した前記表紙用用紙の搬送を再開すること
を特徴とする請求項２に記載の用紙処理装置。
【請求項５】
前記中折り位置は、前記本文用用紙の、用紙搬送方向の中央であり、
前記用紙搬送部は、前記スタック部に整合した前記本文用用紙の綴じ側の端に前記表紙用用紙の中央が位置したら前記表紙用用紙の搬送を停止する、または、前記スタック部に整合した前記本文用用紙の綴じ側の端面の中央に相当する位置に前記表紙用用紙の中央が位置したら前記表紙用用紙の搬送を停止すること
を特徴とする請求項１乃至４の何れか１項に記載の用紙処理装置。
【発明の詳細な説明】
【技術分野】
【０００１】
本発明は、本文用用紙と表紙用用紙とをステープルで綴じた後、表紙用用紙を折って製本する用紙処理装置に関する。
【背景技術】
【０００２】
従来から、本文用用紙と表紙用用紙とをステープルで綴じた後、表紙用用紙を折って製本する用紙処理装置がある。
【０００３】
例えば、用紙をスタックするスタック手段と、前記スタック手段にスタックされた用紙束を整合させる揃え手段と、前記スタック手段に整合された状態でスタックされた用紙束に対して綴じ処理を行う綴じ手段と、前記綴じ手段によって綴じられた用紙束に折り処理を施す折り手段と、前記揃え手段により前記綴じ処理を行う用紙束のサイズと幅方向の寸法が同じで搬送方向の長さが２倍以上のサイズの用紙を同時に揃え、前記綴じ手段により用紙束の中央付近に対して綴じ処理を行わせる制御手段と、を備え、前記制御手段は、綴じ処理された用紙束のうち搬送方向の長さが２倍以上の用紙のみ前記折り手段により中央で中折りする用紙処理装置が挙げられる（例えば特許文献１参照）。
【０００４】
この用紙処理装置は、表紙にはステープルが見えることがなく、冊子のページ数が増えても用紙端面をきれいに揃えることが可能で、簡易的に見栄えの良い製本が定型サイズで可能な用紙処理装置を提供することができる好適なものである。
【発明の概要】
【発明が解決しようとする課題】
【０００５】
しかしながら、従来の用紙処理装置は、本文用用紙と表紙用用紙の全ての用紙端面を揃えてからステープルで綴じ、その後、表紙用用紙を折って製本することから、表紙の小口側の端が本文用用紙の小口側の端より出るような製本を行なうことまではできない、という課題がある。
【課題を解決するための手段】
【０００６】
上記課題を解決するために、本発明にかかる用紙処理装置は、表紙の小口側の端が本文用用紙の小口側の端より出るように、前記本文用用紙の大きさより大きい表紙用用紙を用いて製本する用紙処理装置であって、前記本文用用紙を整合して収容するスタック部と、前記本文用用紙や前記表紙用用紙を挟みこんで前記スタック部に向けて搬送可能に構成すると共に、前記スタック部に収容した前記本文用用紙を前記表紙用用紙で覆うように、前記表紙用用紙の搬送を所定の位置で停止可能に構成した用紙搬送部と、前記用紙搬送部によって前記表紙用用紙が所定の位置で停止した状態で、前記本文用用紙と前記表紙用用紙とをステープルで綴じるステープル処理部と、前記表紙用用紙の、中折り位置から折り込んで表紙を形成する用紙折り部とを備えていることを特徴とする。
【発明の効果】
【０００７】
本発明によれば、表紙の小口側の端が本文用用紙の小口側の端より出る製本を行なうことができる。
【図面の簡単な説明】
【０００８】
【図１】用紙処理装置の構成の概略を示した模式的な側面図である。
【図２】スタック部、ステープル処理部、用紙折り部の構成の概略を示した模式的な側面図である。
【図３】スタック部、ステープル処理部の構成の概略を示した模式的な平面図である。
【図４】用紙後処理装置の電気的な構成を示すブロック図である。
【図５】図２の模式的な側面図を利用して、用紙揃え時と用紙折り時の状態を示した説明図である。
【図６】本文用用紙の厚みを考慮しない場合における、中折り位置（中央）と中綴じ位置の関係を示した説明図である。
【図７】本文用用紙の厚みを考慮しない場合における、中折り位置（中央以外）と中綴じ位置の関係を示した説明図である。
【図８】本文用用紙の厚みを考慮する場合における、中折り位置（中央）と中綴じ位置の関係を示した説明図である。
【発明を実施するための形態】
【０００９】
本発明にかかる用紙処理装置Ａの実施の形態を図面に基づいて説明する。
図１は、本実施形態に係る用紙処理装置Ａの構成の概略を示した模式的な側面図である。図２は、スタック部２、ステープル処理部３、用紙折り部４の構成の概略を示した模式的な側面図である。図３は、スタック部２、ステープル処理部３の構成の概略を示した模式的な平面図である。図４は、用紙処理装置Ａの電気的な構成を示すブロック図である。
【００１０】
図１に示すように、用紙処理装置Ａは、画像形成装置Ｂから排出された画像形成済みの用紙を受け入れ可能に、画像形成装置Ｂに併設されている。
その用紙処理装置Ａは、用紙搬送部１と、スタック部２と、ステープル処理部３と、用紙折り部４と、動作制御部５とを備える。なお、用紙搬送部１、スタック部２、ステープル処理部３、用紙折り部４の各構成部の動作は、動作制御部５による制御によって実現される。
【００１１】
用紙搬送部１は、画像形成装置Ｂからの画像形成済みの用紙を、用紙受け入れ口１０１を介して受け入れ、その用紙を、当該用紙処理装置Ａの上部に設けられた上段トレイａ１、その上段トレイａ１より下方に設けられた中段トレイａ２、用紙処理装置Ａの内部に設けられた支持板２０１の何れかに向けて搬送するものである。
【００１２】
具体的には、この用紙搬送部１は、用紙受け入れ口１０１から上段トレイａ１に向けて設けられた第一の搬送部と、その第一の搬送部の途中から分岐して中段トレイａ２に向けて設けられた第二の搬送部と、第二の搬送部の途中から分岐して支持板２０１に向けて設けられた第三の搬送部とを備える。
【００１３】
第一の搬送部は、用紙受け入れ口１０１の近くに設けられた第一の搬送ローラ１０２と、その第一の搬送ローラ１０２から所要の距離をおいて設けられた第二の搬送ローラ１０３と、第二の搬送ローラ１０３の位置より用紙搬送方向の下流側に電磁ソレノイドなどで揺動可能に設けられ、上段トレイａ１の方向か中段トレイａ２方向かの何れかに用紙を導く第一の分岐爪１０４と、用紙を上段トレイａ１に排出する第一の排出ローラ１０５と、これらの各搬送ローラ間に設けられた複数のガイド板とを備える。
【００１４】
第一の搬送ローラ１０２、第二の搬送ローラ１０３、第一の排出ローラ１０５は、夫々一対のローラで構成される。これらの一対のローラは、パルス電力で駆動するモータによって夫々回転可能になっている。
【００１５】
第二の搬送部は、第一の分岐爪１０４の位置より用紙搬送方向の下流側に電磁ソレノイドなどで揺動可能に設けられ、中段トレイａ２方向か支持板２０１かの何れかに用紙を導く第二の分岐爪１０６と、平面視、用紙搬送方向と直交する方向に用紙をシフトするシフトローラ１０７と、用紙を中段トレイａ２に排出する第二の排出ローラ１０８と、これらの各ローラ間に設けられた複数のガイド板とを備える。
【００１６】
シフトローラ１０７、第二の排出ローラ１０８は、夫々一対のローラで構成される。これらの一対のローラは、パルス電力で駆動するモータによって夫々回転可能になっている。またシフトローラ１０７は、平面視、用紙搬送方向と直交する方向にシフト可能にリンク機構部に接続されている。
【００１７】
第三の搬送部は、第二の分岐爪１０６の近くに設けられた第三の搬送ローラ１０９と、その第三の搬送ローラ１０９の位置より用紙搬送方向の下流側に設けられた第四の搬送ローラ１１０と、その第四の搬送ローラ１１０の位置より用紙搬送方向の下流側に設けられた第五の搬送ローラ１１１と、その第五の搬送ローラ１１１の位置より用紙搬送方向の下流側に、且つ、用紙の搬送が上向くように設けられ、上方に位置する支持板２０１に向けて用紙を排出する第三の排出ローラ１１２と、これらの各ローラ間に設けられた複数のガイド板とを備える。
【００１８】
第三の搬送ローラ１０９、第四の搬送ローラ１１０、第五の搬送ローラ１１１、第三の排出ローラ１１２は、夫々一対のローラで構成される。これらの一対のローラは、パルス電力で駆動するモータによって夫々回転可能になっている。
【００１９】
また、この用紙搬送部１は、入口センサ１１３と、ステープル排紙センサ１１４とを備える。
入口センサ１１３は、画像形成装置Ｂから受け入れる用紙を検出するためのもので、用紙受け入れ口１０１と第一の搬送ローラ１０２との間に設けられている。
【００２０】
この入口センサ１１３による用紙の検出をトリガーにして、予め設定されたパルス数のパルス電力が各ローラに接続されたモータに供給されることで、夫々一対のローラが回転する。これにより、用紙が搬送される。
また、第一の分岐爪１０４と第二の分岐爪１０６を駆動する電磁ソレノイドへの電力供給も、入口センサ１１３による用紙の検出をトリガーにしている。
【００２１】
なお、この用紙処理装置Ａは、上段トレイａ１に用紙が排出されるストレートモードと、中段トレイａ２に用紙が排出されるシフトモードと、支持板２０１に用紙が排出されるステープルモードとがある。上述したローラの回転や分岐爪の駆動は、指定されたモードを実現する構成部分のみが動作するようになっている。
【００２２】
例えば、ストレートモードの場合、第一の搬送ローラ１０２と、第二の搬送ローラ１０３と、第一の分岐爪１０４と、第一の排出ローラ１０５のみが動作することで事足りるため、その他のローラは回転を休止している。
【００２３】
ステープル排紙センサ１１４は、第三の搬送部内を搬送してきた用紙を検出するもので、第五の搬送ローラ１１１と第三の排出ローラ１１２との間に設けられている。
このステープル排紙センサ１１４は、用紙の検出をトリガーにして、予め設定されたパルス数のパルス電力を第三の排出ローラ１１２に接続されたモータに供給することと、搬送されてきた用紙の枚数をカウントする役目を担っている。詳細は後述する。
【００２４】
スタック部２は、支持板２０１と、後端フェンス２０２と、叩きコロ部２０３と、放出部２０５と、可動ガイド２０９と、ジョガーフェンス２１０とを備える。
【００２５】
支持板２０１は、第三の排出ローラ１１２で送り出された用紙を沿わせて傾斜状に支持可能に、第三の排出ローラ１１２の上方に設けられた左右一対の板状に形成されている。
後端フェンス２０２は、用紙の搬送方向と逆方向の端（用紙の後端）を突き当てて用紙の縦揃えが可能に、且つ、後述する第一のステープラ３１によるステープル処理が可能に、側面視略Ｕ字状に且つ平面視逆Ｕ字状に形成されており、支持板２０１の下方に設けられている。
【００２６】
叩きコロ部２０３は、揺動可能に設けられたリンク機構により支持板２０１の支持面に対して進退可能に、且つ、パルス電力で駆動するモータに接続されて正転及び逆転可能に設けられた叩きコロ２０４を備えてなる。この叩きコロ２０４は、支持板２０１の支持面に対して後退した位置をホームポジションとしている。そのホームポジションから前進することで支持板２０１の支持面上の用紙を抑え、また、回転することで、用紙揃えや用紙の反りを無くす。
【００２７】
放出部２０５は、支持板２０１の上部にパルス電力で駆動するモータにより回転可能に設けられた複数の放出ローラ２０６と、左右一対の支持板２０１の間に架け渡された放出ベルト２０８と、支持板２０１の面より突出するように放出ベルト２０８に取り付けられ、後端フェンス２０２に支持された用紙の後端を支持する放出爪２０７とを備える。この放出ベルト２０８はパルス電力で駆動するモータにより、用紙の搬送方向（図１において反時計回り）に回転可能になっている。
【００２８】
可動ガイド２０９は、放出ローラ２０６の回転中心と同じ回転中心でもって、パルス電力で駆動するモータの駆動により放出ローラ２０６の上方で揺動可能に設けられた円弧状の部材である。この可動ガイド２０９は、ステープル処理がされた用紙束を、用紙折り部４か中段トレイａ２かの何れかの方向へガイドするようになっている。
【００２９】
ジョガーフェンス２１０は、支持板２０１の、用紙の搬送方向と直交する方向の両側に対向するように設けられた一対からなり、パルス電力で駆動するモータの駆動により、支持板２０１上で、互いに前進したり後退したりすることが可能になっている。そして、このジョガーフェンス２１０は、互いが前進することで、支持板２０１の用紙束を支持板２０１の中央に寄せて、その用紙束の横揃えをする。
【００３０】
ステープル処理部３は、スタック部２で整合された用紙束の後端にステープルを打ち込んでステープル綴じを行なう第一のステープラ３１と、パルス電力で駆動するモータの駆動により用紙の搬送方向に進退動可能なステー３３に固定され、スタック部２で整合された用紙束の任意の位置にステープルを打ち込んでステープル綴じ（中綴じ）を行なう左右一対の第二のステープラ３２とを備える。
この第一のステープラ３１と第二のステープラ３２は、夫々、ステープルを打ち出す本体部と、本体部と対向して設けられ、打ち出されたステープルを曲げる溝が形成された受け部とを備えて構成される。
【００３１】
用紙折り部４は、上ガイド板４０１と、下ガイド板４０２と、上ローラ４０３と、下ローラ４０４と、折りローラ４０５と、折りガイド板４０６と、折り排出ローラ４０７と、折りプレート４０８と、可動後端フェンス４０９と、用紙束到達センサ４１１と、可動後端フェンスＨＰセンサ４１２と、折り部通過センサ４１３とを備えて構成されている。
【００３２】
上ガイド板４０１は、放出ローラ２０６と可動ガイド２０９とで形成された搬送路と連続するように鉛直方向に延びるように設けられた一対のガイド板からなる。
下ガイド板４０２は、所要の間隔をおいて上ガイド板４０１と連続するように上ガイド板４０１の下方に設けられた一対のガイド板からなる。
【００３３】
上ローラ４０３は、パルス電力で駆動するモータにより回転可能に設けられた一対のローラであり、用紙束を搬送可能に上ガイド板４０１の上部に設けられている。
下ローラ４０４は、パルス電力で駆動するモータにより回転可能に設けられた一対のローラであり、用紙束を搬送可能に上ガイド板４０１の下部に設けられている。
【００３４】
折りローラ４０５は、パルス電力で駆動するモータにより回転可能に設けられた一対のローラであり、その一対のローラ同士間の中心（以下、ニップという）と上ガイド板４０１と下ガイド板４０２間に形成された隙間の位置とが水平方向で繋がるように、ステープル処理部３と反対側に設けられている。
【００３５】
折りガイド板４０６は、折り込まれた用紙束が通過可能な所要の間隔おいて対向配置された一対のガイド板であり、折りローラ４０５のニップと水平方向で繋がるように、折りローラ４０５の隣に設けられている。
折り排出ローラ４０７は、パルス電力で駆動するモータにより回転可能に設けられた一対のローラであり、折りガイド板４０６でガイドされた用紙束を搬送可能に折りガイド板４０６の隣に設けられている。
【００３６】
折りプレート４０８は、折りローラ４０５のニップに対して、上ガイド板４０１及び下ガイド板４０２を挟んで折りローラ４０５に対向した位置から水平な方向に進退動可能に設けられており、折りローラ４０５のニップに用紙束を押し込んで折り込み可能に構成されている。
【００３７】
可動後端フェンス４０９は、用紙の後端を支持するもので、下ガイド板４０２と沿うように設けられパルス電力で駆動するモータにより回転可能な無端ベルト４１０に取り付けられている。この可動後端フェンス４０９は、折りプレート４０８の移動上に、ステープル処理された用紙束の折り込み位置がくるように、用紙束の位置調整を行なうようになっている。
【００３８】
用紙束到達センサ４１１は、搬送されてくる用紙束を検出するためのもので、下ローラ４０４と折りプレート４０８との間に設けられている。この用紙束到達センサ４１１による用紙束の検出をトリガーにして、予め設定されたパルス数のパルス電力が上ローラ４０３と下ローラ４０４に接続された夫々のモータに供給されて、用紙束の搬送を所定の位置で停止させる。
【００３９】
可動後端フェンスＨＰセンサ４１２は、可動後端フェンス４０９のホームポジションを検出するためのもので、可動後端フェンス４０９のホームポジションに対応した位置に設けられている。
用紙折りの動作をしない場合は、可動後端フェンスＨＰセンサ４１２が可動後端フェンス４０９を検出する位置、すなわちホームポジションに位置させておく。用紙折りを実行する場合、予め設定されたパルス数のパルス電力が可動後端フェンス４０９を駆動するモータに供給されてフェンス本体を所定の位置に移動させる。
【００４０】
折り部通過センサ４１３は、折りガイド板４０６を移動してきた用紙束を検出するもので、折りローラ４０５と排出ローラ４０７との間に設けられている。この折り部通過センサ４１３による用紙束の検出をトリガーにして、予め設定されたパルス数のパルス電力が排出ローラに接続されたモータに供給されて、用紙束の排出を行なう。
【００４１】
動作制御部５は、上述したように、用紙搬送部１、スタック部２、ステープル処理部３、用紙折り部４の各構成部の動作を制御するもので、ＣＰＵ５１と、ＲＯＭ５２と、ＲＡＭ５３と、シリアルＩ／Ｆ５４と、入力表示部５５とを備えて構成される。
【００４２】
本発明の要部であるステープル処理の動作制御を含んだ一連の動作制御のためのプログラムコードは、ＲＯＭ５２に格納されている。
ＣＰＵ５１は、そのプログラムコードをＲＡＭ５３に展開し、各種センサから得られた情報等、制御に必要なデータをＲＡＭ５３に記憶し、そのＲＡＭ５３をワークエリアとして使用しながらプログラムコードに従って、各種直流負荷であるモータ等の制御を実行する。
【００４３】
シリアルＩ／Ｆ５４は、画像形成装置Ｂと電気的に接続可能に構成され、ストレートモード、シフトモード、ステープルモード等の用紙後処理情報や、用紙後処理を行なう際の印刷枚数情報などの各種情報を画像形成装置Ｂから受信したり、用紙処理装置Ａから画像形成装置Ｂへ必要な情報を送信したりするインターフェースである。
【００４４】
入力表示部５５は、ストレートモード、シフトモード、ステープルモード等の用紙後処理情報や、用紙後処理を行なう際の印刷枚数情報などの各種情報を入力したり、その各種情報を表示したりする。
本実施の形態にかかる用紙処理装置Ａは、画像形成装置Ｂと電気的に接続しなくても、入力表示部５５を介して単独で動作設定が可能になっている。
【００４５】
次に、本実施の形態にかかる用紙処理装置Ａによる用紙束の中綴じと用紙折りにかかる一連の動作を、図５〜図８を参照しながら詳述する。この一連の動作により、表紙の小口側の端Ｐ２ａが本文用用紙Ｐ１の小口側の端Ｐ１ａより出る製本が可能となる。用いられる用紙は、本文用用紙Ｐ１と表紙用用紙Ｐ２であり、その表紙用用紙Ｐ２は、本文用用紙Ｐ１（長さＬ１）の２倍よりもＬ２×２だけ長いものを用いる。
【００４６】
図５は、図２の模式的な側面図を利用して、用紙揃え時と用紙折り時の状態を示した説明図である。図６は、本文用用紙の厚みを考慮しない場合における、中折り位置（中央）と中綴じ位置の関係を示した説明図である。図７は、本文用用紙の厚みを考慮しない場合における、中折り位置（中央以外の任意の位置）と中綴じ位置の関係を示した説明図である。図８は、本文用用紙の厚みを考慮する場合における、中折り位置（中央）と中綴じ位置の関係を示した説明図である。
なお、画像形成装置Ｂは、一枚または複数枚の本文用用紙Ｐ１を排出した後、表紙用用紙Ｐ２を排出するものとする。
【００４７】
先ず、動作制御部５は、ユーザーが設定した情報、例えば、本文用用紙Ｐ１の枚数情報、本文用用紙Ｐ１と表紙用用紙Ｐ２のサイズ情報等の各種情報に基づいて動作を開始する。なお、この各種情報は、画像形成装置Ｂからも取得可能である。
【００４８】
また、動作制御部５は、予め記録された本文用用紙Ｐ１の一枚の厚さにかかる情報と、本文用用紙Ｐ１の枚数情報から本文用用紙Ｐ１の厚みを予測する。また、入力表示部５５等を介して入力された中折り位置にかかる指定情報が、表紙用用紙Ｐ２の、用紙搬送方向の中央か否か判断する。
【００４９】
画像形成装置Ｂから排出された本文用用紙Ｐ１は、用紙受け入れ口１０１から搬入され、第一の搬送ローラ１０２と第二の搬送ローラ１０３とによって用紙処理装置Ａ内に搬入される。用紙処理装置Ａに搬入された本文用用紙Ｐ１は、第一の分岐爪１０４と第二の分岐爪１０６とによって、第三の搬送部に移動する。
【００５０】
第三の搬送部に搬入された本文用用紙Ｐ１は、第三の搬送ローラ１０９、第四の搬送ローラ１１０、第五の搬送ローラ１１１、第三の排出ローラ１１２によって支持板２０１に排出される。このとき、ステープル排紙センサ１１４は、搬送されてきた本文用用紙Ｐ１の枚数をカウントする。
【００５１】
本文用用紙Ｐ１が支持板２０１に排出されると用紙の整合が実行される。
すなわち、支持板２０１に本文用用紙Ｐ１が排出されると、叩きコロ２０４は、支持板２０１の支持面に向けて前進して本文用用紙Ｐ１を叩く。本文用用紙Ｐ１は、この叩き動作により支持板２０１に沿わされる。
【００５２】
そして、叩きコロ２０４は、本文用用紙Ｐ１の後端が後端フェンス２０２へ突き当たるまで反時計回りに回転（正転）する。これにより本文用用紙Ｐ１は縦揃えされる。この動作が終了すると叩きコロ２０４はホームポジションまで後退する。
【００５３】
次いで、一対のジョガーフェンス２１０が前進する。これにより、本文用用紙Ｐ１が所定位置に押し動かされて横揃えされる。この整合動作は、支持板２０１に排出される本文用用紙Ｐ１毎に実行される。
【００５４】
動作制御部５は、本文用用紙Ｐ１の枚数情報と、ステープル排紙センサ１１４を介してカウントした本文用用紙Ｐ１の枚数情報とを照らして、当該用紙処理装置Ａに、本文用用紙Ｐ１の搬入が終了したか否かを判断する。動作制御部５は、本文用用紙Ｐ１の搬入が終わり、表紙用用紙Ｐ２が搬入されてくると判断したら、以下の動作に入る。
【００５５】
先ず、（１）本文用用紙Ｐ１の厚みが所定値よりも下回る場合で、且つ、中折り位置が、表紙用用紙Ｐ２の、用紙搬送方向の中央である場合か、（２）本文用用紙Ｐ１の厚みが所定値よりも上回る場合で、且つ、中折り位置が、表紙用用紙Ｐ２の、用紙搬送方向の中央である場合か、（３）中折り位置が、表紙用用紙Ｐ２の、用紙搬送方向の中央でない場合か、のいずれかを判断する。
【００５６】
画像形成装置Ｂから排出された表紙用用紙Ｐ２は、本文用用紙Ｐ１と同様に、用紙受け入れ口１０１から搬入され、第一の搬送ローラ１０２と第二の搬送ローラ１０３とによって用紙処理装置Ａ内に搬入される。用紙処理装置Ａに搬入された表紙用用紙Ｐ２は、第一の分岐爪１０４と第二の分岐爪１０６とによって、第三の搬送部に移動する。
【００５７】
動作制御部５は、ステープル排紙センサ１１４が、第三の搬送ローラ１０９、第四の搬送ローラ１１０、第五の搬送ローラ１１１によって移動してきた表紙用用紙Ｐ２の先端を検出すると、第三の排出ローラ１１２の回転を制御して、表紙用用紙Ｐ２を所定の位置で一時停止させる。表紙用用紙Ｐ２を一時停止する位置は、上述した（１）の場合と（２）の場合と（３）の場合で異なる。
【００５８】
（１）本文用用紙Ｐ１の厚みが所定値よりも下回る場合で、且つ、中折り位置が、表紙用用紙Ｐ２の、用紙搬送方向の中央である場合。
図６（１）に示すように、スタック部２に整合した本文用用紙Ｐ１の綴じ側の端に表紙用用紙Ｐ２の中央が位置したら表紙用用紙Ｐ２の搬送を停止する。
【００５９】
（２）本文用用紙Ｐ１の厚みが所定値よりも上回る場合で、且つ、中折り位置が、表紙用用紙Ｐ２の、用紙搬送方向の中央である場合。
図７（１）に示すように、スタック部２に整合した本文用用紙Ｐ１の綴じ側の端面から本文用用紙Ｐ１の厚さＴの半分の距離Ｔ／２だけシフトした位置に、表紙用用紙Ｐ２の中央（中折り位置）が位置したら表紙用用紙Ｐ２の搬送を停止する。換言すれば、スタック部２に整合した本文用用紙Ｐ１の綴じ側の端面の中央（本文用用紙Ｐ１の厚さＴの半分の位置Ｔ／２）に相当する位置に表紙用用紙Ｐ２の中央が位置したら表紙用用紙Ｐ２の搬送を停止する。
【００６０】
（３）中折り位置が、表紙用用紙Ｐ２の、用紙搬送方向の中央でない場合。
この場合は、図８（１）に示すように、スタック部２に整合した本文用用紙Ｐ１の綴じ側の端に表紙用用紙Ｐ２の中央が位置したら表紙用用紙Ｐ２の搬送を停止し、用紙折り部４側で中折り位置を所望した量Ｌ３だけシフトする。または、図７（１）に示すように、スタック部２に整合した本文用用紙Ｐ１の綴じ側の端面から所望した量だけシフトした位置に、折り位置が位置したら表紙用用紙Ｐ２の搬送を停止する。
【００６１】
なお、表紙用用紙Ｐ２を所定の位置で一時停止させるために、動作制御部５は、ステープル排紙センサ１１４から第三の排出ローラ１１２までの距離、第三の排出ローラ１１２の１回転あたりの用紙送り量、後端フェンス２０２を基準にした本文用用紙Ｐ１の先端の高さ位置、本文用用紙Ｐ１の長さ、表紙用用紙Ｐ２の長さ、本文用用紙Ｐ１の厚さ等に基づいて、第三の排出ローラ１１２の回転量を算出する。そして、その回転量に対応したパルス数の電力を第三の排出ローラ１１２を駆動するモータに送ることで、表紙用用紙Ｐ２の搬送を制御する。
【００６２】
表紙用用紙Ｐ２は、動作制御部５による、第三の排出ローラ１１２の回転制御により所定の位置で一時停止する。このとき、表紙用用紙Ｐ２の後端は第三の排出ローラ１１２から抜け出ておらず、第三の排出ローラ１１２により挟まれた状態で、スタック部２に収容した本文用用紙Ｐ１を覆うように停止する。
【００６３】
叩きコロ２０４は、表紙用用紙Ｐ２が所定の位置で停止した後に支持板２０１の支持面に向けて前進して表紙用用紙Ｐ２を叩く。表紙用用紙Ｐ２は、この叩き動作により支持板２０１に沿わされる。そして、時計回りに回転（逆転）して表紙用用紙Ｐ２に反りが生じないように張る。
【００６４】
このようにして、叩きコロ２０４が、表紙用用紙Ｐ２を張りながら表紙用用紙Ｐ２と本文用用紙Ｐ１とを押さえたら、第二のステープラ３２による中綴じが実行される。
第二のステープラ３２は、パルス電力で駆動するモータの駆動により用紙の搬送方向に進退動可能なステー３３を介して中綴じ位置まで移動する。
【００６５】
この中綴じ位置は、図６（１）、図７（１）、図８（１）に示したように、表紙用用紙Ｐ２の、中折り位置から本文用用紙Ｐ１側に所要の距離ずれた位置であり、表紙用用紙Ｐ２と本文用用紙Ｐ１とがステープルで綴じられる位置である。
【００６６】
第二のステープラ３２は、中綴じ位置まで移動したら、表紙用用紙Ｐ２と本文用用紙Ｐ１とがステープル３２ａで綴じる。
ステープル綴じが終了したら、叩きコロ２０４は、支持板２０１の支持面から後退して用紙押さえを解除する。
【００６７】
そして、放出ベルト２０８と放出ローラ２０６が回転（図５において反時計回り）を開始する。これに伴って、放出ベルト２０８に取り付けられた放出爪２０７が回転（下降移動と上昇移動を交互に繰り返す）を開始する。放出爪２０７は、下降移動から上昇移動に転じた直後に本文用用紙Ｐ１の後端に当たり、そのまま上昇移動を続ける。これにより、表紙用用紙Ｐ２と本文用用紙Ｐ１は上昇する。このとき、第三の排出ローラ１１２は、放出部による放出動作、すなわち、表紙用用紙Ｐ２と本文用用紙Ｐ１の上昇移動と同期して、表紙用用紙Ｐ２の搬送を再開する（回転を再開する）。
【００６８】
表紙用用紙Ｐ２と本文用用紙Ｐ１は、可動ガイド２０９、放出ローラ２０６によって、用紙折り部４へ搬送される。
上ローラ４０３、下ローラ４０４によって、表紙用用紙Ｐ２と本文用用紙Ｐ１は、中折り位置が折りプレート４０８の位置に位置するまで、上ガイド板４０１、下ガイド板４０２内を移動する。
【００６９】
そして、折りプレート４０８が、折りローラ４０５を介して折りガイド板４０６の所要の位置まで前進して表紙用用紙Ｐ２の用紙折りを実行する。これにより、表紙の小口側の端Ｐ２ａが本文用用紙Ｐ１の小口側の端Ｐ１ａより出る（図６（２））、（図７（２））、（図８（２））。
折り排出ローラ４０７は、用紙折りされた用紙の束を下段トレイａ３に排出して一連の動作が終了する。
【００７０】
以上のように本実施の形態にかかる用紙処理装置は、表紙の小口側の端が本文用用紙の小口側の端より出る製本を行なうことができる。
【００７１】
以上、本実施の形態にかかる用紙処理装置を説明したが、上述した実施の形態は、本発明の好適な実施の形態の一例を示すものであり、本発明はそれに限定されるものではなく、種々変形実施が可能である。
【符号の説明】
【００７２】
Ａ  用紙処理装置
１  用紙搬送部
１０１  用紙受け入れ口
１０２  第一の搬送ローラ
１０３  第二の搬送ローラ
１０４  第一の分岐爪
１０５  第一の排出ローラ
１０６  第二の分岐爪
１０７  シフトローラ
１０８  第二の排出ローラ
１０９  第三の搬送ローラ
１１０  第四の搬送ローラ
１１１  第五の搬送ローラ
１１２  第三の排出ローラ
１１３  入口センサ
１１４  ステープル排紙センサ
２  スタック部
２０１  支持板
２０２  後端フェンス
２０３  叩きコロ部
２０４  叩きコロ
２０５  放出部
２０６  放出ローラ
２０７  放出爪
２０８  放出ベルト
２０９  可動ガイド
２１０  ジョガーフェンス
３  ステープル処理部
３１  第一のステープラ
３２  第二のステープラ
３２ａ  ステープル
３３  ステー
４  用紙折り部
４０１  上ガイド板
４０２  下ガイド板
４０３  上ローラ
４０４  下ローラ
４０５  折りローラ
４０６  折りガイド板
４０７  折り排出ローラ
４０８  折りプレート
４０９  可動後端フェンス
４１０  無端ベルト
４１１  用紙束到達センサ
４１２  可動後端フェンスＨＰセンサ
５  動作制御部
５１  ＣＰＵ
５２ＲＯＭ
５３  ＲＡＭ
５４  シリアルＩ／Ｆ
５５  入力表示部
ａ１  上段トレイ
ａ２  中段トレイ
ａ３  下段トレイ
Ｐ１  本文用用紙
Ｐ２  表紙用用紙
Ｂ  画像形成装置
【先行技術文献】
【特許文献】
【００７３】
【特許文献１】特許第３９７３９７３号公報
【図１】
2014105042.tif 000003
【図２】
2014105042.tif 000004
【図３】
2014105042.tif 000005
【図４】
2014105042.tif 000006
【図５】
2014105042.tif 000007
【図６】
2014105042.tif 000008
【図７】
2014105042.tif 000009
【図８】
2014105042.tif 000010